(57)【要約】【課題】規定の時間帯に所定の場所にいることが予定されている各見守り対象者が、その場所に予定通りいたか否かを検出する。【解決手段】予約検出制御部（３６）は、検出開始時刻から検出終了時刻までの間に受信された発信信号から抽出されたビーコンＩＤが、複数の予約ビーコンＩＤのいずれか一致する場合、抽出したビーコンＩＤに一致する予約ビーコンＩＤを検出したことを決定する。【選択図】図２
2016110403.tif 000002
【特許請求の範囲】
【請求項１】
所定の場所に設置されている検出装置であって、
自機に固有の識別子を含む発信信号を発信する携帯端末機から発信された上記発信信号を受信する発信信号受信部と、
検出開始時刻と、検出終了時刻と、少なくとも上記検出開始時刻から上記検出終了時刻までの間に上記所定の場所にいることが予定されている複数の見守り対象者がそれぞれ携帯する各携帯端末機に固有の各識別子とが関連付けられた設定情報を受信する設定情報受信部と、
上記検出開始時刻から上記検出終了時刻までの間に受信された上記発信信号に含まれる上記識別子が、上記設定情報に含まれる各上記識別子のうちいずれかの識別子に一致する場合、上記発信信号から当該いずれかの識別子を検出する検出部と、
上記検出開始時刻から上記検出終了時刻までの間における、上記設定情報に含まれる上記各識別子の検出結果を管理装置に通知する通知部とを備えていることを特徴とする検出装置。
【請求項２】
上記通知部は、上記検出開始時刻から上記検出終了時刻までの間に、上記設定情報に含まれる上記各識別子のうち一部が検出されかつ残りの一部が検出されなった場合、検出された当該一部を上記管理装置に通知せずかつ検出されなかった当該残りの一部を上記管理装置に通知することを特徴とする請求項１に記載の検出装置。
【請求項３】
上記通知部は、上記設定情報に含まれる上記各識別子のすべてが上記検出開始時刻から上記検出終了時刻までの間に検出された場合、上記設定情報に含まれる上記各識別子がすべて検出されたことを上記管理装置に通知することを特徴とする請求項１または２に記載の検出装置。
【請求項４】
ＢｌｕｅＴｏｏｔｈ（登録商標）Ｌｏｗ  Ｅｎｅｒｇｙを介して上記携帯端末機と通信することを特徴とする請求項１〜３のいずれか１項に記載の検出装置。
【請求項５】
管理装置と、所定の場所に設置されている検出装置とを備えている見守りシステムにおいて、
上記管理装置は、
検出開始時刻と、検出終了時刻と、少なくとも上記検出開始時刻から上記検出終了時刻までの間に上記所定の場所にいることが予定されている複数の見守り対象者がそれぞれ携帯する各携帯端末機に固有の各識別子とを含む設定情報を、上記検出装置に送信する送信部と、
上記検出装置から通知された上記各識別子の検出結果を受信する検出結果受信部とを備えており、
上記検出装置は、
上記設定情報を受信する設定情報受信部と、
自機に固有の識別子を含む発信信号を発信する携帯端末機から発信された上記発信信号を受信する発信信号受信部と、
上記検出開始時刻から上記検出終了時刻までの間に受信された上記発信信号に含まれる上記識別子が、上記設定情報に含まれる各上記識別子のうちいずれかの識別子に一致する場合、上記発信信号から当該いずれかの識別子を検出する検出部と、
上記検出開始時刻から上記検出終了時刻までの間における、上記設定情報に含まれる上記各識別子の検出結果を、上記管理装置に通知する通知部とを備えていることを特徴とする見守りシステム。
【請求項６】
上記管理装置は、予定開始時刻と、予定終了時刻と、上記予定開始時刻から上記予定終了時刻までの間に上記所定の場所にいることが予定されている複数の人がそれぞれ携帯する上記各携帯端末機に固有の上記各識別子とを少なくとも含む予定情報を用いることによって、上記設定情報を生成する生成部をさらに備えており、
上記管理装置の上記送信部は、上記生成部によって生成された上記設定情報を上記検出装置に送信することを特徴とする請求項５に記載の見守りシステム。
【請求項７】
上記予定情報には、上記予定開始時刻から上記予定終了時刻までの間において上記複数の見守り対象者を管理する責任を有する管理者を示す情報がさらに関連付けられており、
上記管理装置は、受信された上記検出結果を上記管理者に通知する通知部をさらに備えていることを特徴とする請求項６に記載の見守りシステム。
【請求項８】
所定の場所に設置されている検出装置が実行する検出方法であって、
自機に固有の識別子を含む発信信号を発信する携帯端末機から発信された上記発信信号を受信する発信信号受信工程と、
検出開始時刻と、検出終了時刻と、少なくとも上記検出開始時刻から上記検出終了時刻までの間に上記所定の場所にいることが予定されている複数の人がそれぞれ携帯する各携帯端末機に固有の各識別子とが関連付けられた設定情報を受信する設定情報受信工程と、
上記検出開始時刻から上記検出終了時刻までの間に受信された上記発信信号に含まれる上記識別子が、上記設定情報に含まれる各上記識別子のうちいずれかの識別子に一致する場合、上記発信信号から当該いずれかの識別子を検出する検出工程と、
上記検出開始時刻から上記検出終了時刻までの間における、上記設定情報に含まれる上記各識別子の検出結果を管理装置に通知する通知工程とを有することを特徴とする検出方法。
【請求項９】
請求項１から４のいずれか一項に記載の検出装置としてコンピュータを機能させるためのプログラムであって、コンピュータを前記各部として機能させるためのプログラム。
【発明の詳細な説明】
【技術分野】
【０００１】
本発明は、発信信号を発信する携帯端末機を携帯する見守り対象者を見守るために用いられる検出装置、検出方法、見守りシステム、およびプログラムに関する。
【背景技術】
【０００２】
昨今、児童の通学路での事故や犯罪が多発し、登下校の安全監視が課題となっている。また、児童の交友関係に起因する様々な問題も発生しており、その対応が課題となっている。
【０００３】
特許文献１には、識別情報が記憶された生徒携帯用の情報記憶媒体と、教育施設の出入口付近に設置され、前記情報記憶媒体に記憶された識別情報を読み取る情報記憶媒体読取装置と、前記情報記憶媒体読取装置で読み取った識別情報をサーバに送信する通信装置を備えている出欠管理及び登下校通知システムが開示されている。特許文献１によれば、このシステムは、生徒の出欠管理と、生徒の保護者に対する生徒の登下校時間の通知とを行うことができる。
【先行技術文献】
【特許文献】
【０００４】
【特許文献１】特開２００４−８６３９４号（２００４年３月１８日公開）
【発明の概要】
【発明が解決しようとする課題】
【０００５】
特許文献１に開示されたシステムでは、塾の門付近、建物の出入口付近、教室の出入口付近など、各々の塾の建物の構造にそれぞれ対応した場所にＩＣタグリーダーが備えられているので、情報記憶媒体を携帯する塾生を塾内のさまざまな場所において検出することができる。しかし、塾内において規定の時間帯に予定されている各授業に各児童が予定通り出席しているか否かを検出することはできない。
【０００６】
本発明は上記の課題を解決するためになされたものである。そして、その目的は、規定の時間帯に所定の場所にいることが予定されている各見守り対象者が、その場所に予定通りいたか否かを検出することができる検出装置、検出方法、プログラム、および見守りシステムを提供することにある。
【課題を解決するための手段】
【０００７】
本発明の一態様に係る検出装置は、上記の課題を解決するために、
所定の場所に設置されている検出装置であって、
自機に固有の識別子を含む発信信号を発信する携帯端末機から発信された上記発信信号を受信する発信信号受信部と、
検出開始時刻と、検出終了時刻と、少なくとも上記検出開始時刻から上記検出終了時刻までの間に上記所定の場所にいることが予定されている複数の見守り対象者がそれぞれ携帯する各携帯端末機に固有の各識別子とが関連付けられた設定情報を受信する設定情報受信部と、
上記検出開始時刻から上記検出終了時刻までの間に受信された上記発信信号に含まれる上記識別子が、上記設定情報に含まれる各上記識別子のうちいずれかの識別子に一致する場合、上記発信信号から当該いずれかの識別子を検出する検出部と、
上記検出開始時刻から上記検出終了時刻までの間における、上記設定情報に含まれる上記各識別子の検出結果を管理装置に通知する通知部とを備えていることを特徴としている。
【０００８】
本発明の一態様に係る見守りシステムは、上記の課題を解決するために、
管理装置と、所定の場所に設置されている検出装置とを備えている見守りシステムにおいて、
上記管理装置は、
検出開始時刻と、検出終了時刻と、少なくとも上記検出開始時刻から上記検出終了時刻までの間に上記所定の場所にいることが予定されている複数の見守り対象者がそれぞれ携帯する各携帯端末機に固有の各識別子とを含む設定情報を、上記検出装置に送信する送信部と、
上記検出装置から通知された上記各識別子の検出結果を受信する検出結果受信部とを備えており、
上記検出装置は、
上記設定情報を受信する設定情報受信部と、
自機に固有の識別子を含む発信信号を発信する携帯端末機から発信された上記発信信号を受信する発信信号受信部と、
上記検出開始時刻から上記検出終了時刻までの間に受信された上記発信信号に含まれる上記識別子が、上記設定情報に含まれる各上記識別子のうちいずれかの識別子に一致する場合、上記発信信号から当該いずれかの識別子を検出する検出部と、
上記検出開始時刻から上記検出終了時刻までの間における、上記設定情報に含まれる上記各識別子の検出結果を、上記管理装置に通知する通知部とを備えていることを特徴としている。
【０００９】
本発明の一態様に係る検出方法は、上記の課題を解決するために、
所定の場所に設置されている検出装置が実行する検出方法であって、
自機に固有の識別子を含む発信信号を発信する携帯端末機から発信された上記発信信号を受信する発信信号受信工程と、
検出開始時刻と、検出終了時刻と、少なくとも上記検出開始時刻から上記検出終了時刻までの間に上記所定の場所にいることが予定されている複数の人がそれぞれ携帯する各携帯端末機に固有の各識別子とが関連付けられた設定情報を受信する設定情報受信工程と、
上記検出開始時刻から上記検出終了時刻までの間に受信された上記発信信号に含まれる上記識別子が、上記設定情報に含まれる各上記識別子のうちいずれかの識別子に一致する場合、上記発信信号から当該いずれかの識別子を検出する検出工程と、
上記検出開始時刻から上記検出終了時刻までの間における、上記設定情報に含まれる上記各識別子の検出結果を管理装置に通知する通知工程とを有することを特徴としている。
【発明の効果】
【００１０】
本発明の一態様によれば、規定の時間帯に所定の場所にいることが予定されている各見守り対象者が、その場所に予定通りいたか否かを検出することができるという効果を奏する。
【図面の簡単な説明】
【００１１】
【図１】本発明の一実施形態に係る児童見守りシステムの要部構成を示すブロック図である。
【図２】本発明の一実施形態に係るビーコンリーダの要部構成を示すブロック図である。
【図３】本発明の一実施形態に係るサーバの要部構成を示すブロック図である。
【図４】本発明の一実施形態に係るサーバが実行する処理の流れを説明するフローチャートである。
【図５】本発明の一実施形態に係るスケジュールテーブルに格納されているスケジュール情報の一例を示す図である。
【図６】本発明の一実施形態に係るビーコンリーダが実行する処理の流れを説明するフローチャートである。
【図７】本発明の一実施形態に係る予約検出テーブルに格納されている予約検出の設定情報の一例を示す図である。
【発明を実施するための形態】
【００１２】
本発明の一実施形態を図１〜図７に基づき以下に説明する。
【００１３】
（児童見守りシステム１の概要）
児童見守りシステム１の概要について説明する。本実施形態に係る児童見守りシステム１は、学校内の児童を見守るために利用されるシステムである。具体的には、児童見守りシステム１は、学校内の各場所（教室、音楽室等）において規定の時間帯に予定されている各活動（朝礼、授業等）に出席する予定である各児童が、その時間帯に予定通り出席したか否かを検出することによって、学校内において各児童を見守る。検出結果は、その時間帯における見守り対象者である児童に対して責任を持つ教員（責任者）に対して通知され、教員は、通知された検出結果に応じた適切な対応を取る。
【００１４】
（児童見守りシステム１の構成）
本実施形態に係る児童見守りシステム１の構成について、図１を参照して説明する。図１は、本実施形態に係る児童見守りシステム１の要部構成を示すブロック図である。この図に示すように、児童見守りシステム１は、ビーコン（携帯端末機）２、ビーコンリーダ（検出装置）３、サーバ（管理装置）４、および、管理者端末５を備えている。
【００１５】
ビーコン２は、学校内における各児童の所在を児童見守りシステム１において把握するために用いられる。本実施形態では、ビーコン２は、自機に固有のビーコンＩＤ（識別子）を含む発信信号（ビーコン電波）を定期的（たとえば１００ｍｓごと）に発信するＩＣタグである。各児童は、自身に支給されたビーコン２を、少なくとも登下校時および学校内において常時携帯している。ビーコン２の消費電力は低いため、各児童はビーコンリーダ３を長期間使用することができる。
【００１６】
ビーコンリーダ３は、自機から所定の距離内に位置するビーコン２を検出する装置である。ビーコンリーダ３は、学校内における所定の場所に設置される。所定の場所とは、具体的には、規定の時間帯に学校内の規定の活動（授業、昼食等）が行われる場所のことであり、たとえば教室、体育館、音楽室、および図工室などが挙げられる。本実施形態では所定の場所ごとに１台のビーコンリーダ３が設置され、そのビーコンリーダ３がその場所に存在する各ビーコン２から発信された発信信号を受信する。なお、ビーコンリーダ３は、受信した発信信号の電波強度（ＲＳＳＩ：Received Signal Strength Indication）に基づきビーコン２との間の距離を推定する。
【００１７】
学校内の所定の場所に設置されているビーコンリーダ３は、サーバ４から提供された設定情報に基づき、所定の検出開始時刻から検出終了時刻までの間に受信された発信信号に含まれるビーコンＩＤが、検出開始時刻から検出終了時刻までの間に上記所定の場所にいることが予定されている各児童がそれぞれ携帯する各ビーコンリーダ３に固有のビーコンＩＤに一致する場合、発信信号から当該いずれかのビーコンＩＤを検出する。以下では、このような検出を予約検出と称する。
【００１８】
サーバ４は、児童見守りシステム１における児童の見守り処理を統括的に制御する装置である。サーバ４は、無線または有線のネットワークを介して各ビーコンリーダ３に接続されている。詳しくは後述するが、サーバ４は、ビーコンリーダ３に対して予約検出を指示すると共に、ビーコンリーダ３から受信した予約検出の結果を、予め登録された管理者宛てに通知する。詳細には、検出結果を管理者端末５に対して送信する。管理者には、児童の担当教員、施設および場所の管理者などがいる。
【００１９】
管理者端末５は、学校内の管理者が操作する端末であり、具体的にはＰＣ（Personal Computer）またはスマートフォンなどとして実現される。管理者端末５は、管理者によって入力された、学校における授業などの予定に関する情報をサーバ４に提供する。また、管理者端末５は、各ビーコンリーダ３におけるビーコン２の検出結果をサーバ４から受信しかつ表示することによって、検出結果を管理者に通知する。
【００２０】
ビーコンリーダ３の構成について、図２を参照して説明する。図２は、本実施形態に係るビーコンリーダ３の要部構成を示す図である。図２に示すように、ビーコンリーダ３は、ビーコン受信部３１（発信信号受信部）、ビーコンＩＤ検出部３２（検出部）、通信部３３、予約検出設定部３４（設定情報受信部）、予約検出テーブル３５、予約検出制御部３６（通知部）、および時計部３７を備えている。各部材の詳細は後述する。
【００２１】
サーバ４の構成について、図３を参照して以下に説明する。図３は、本実施形態に係るサーバ４の要部構成を示すブロック図である。この図に示すように、サーバ４は、スケジュール管理部４１、スケジュールテーブル４２、予約検出指示部４３（生成部、送信部、検出結果受信部）、通信部４４、および検出結果通知部４５（通知部）を備えている。各部材の詳細は後述する。
【００２２】
（サーバ４における処理の流れ）
児童見守りシステム１が児童見守り処理を実行する際の、サーバ４における処理の流れについて、図４および図５を参照して以下に説明する。図４は、サーバ４が実行する処理の流れを説明するフローチャートである。図５は、スケジュールテーブル４２に格納されているスケジュール情報の一例を示す図である。
【００２３】
児童見守りシステム１では、サーバ４が、学校における授業などの予定に関する所定のスケジュール情報（予定情報）を用いることによって、各ビーコンリーダ３における児童（ビーコン２）の予約検出に必要な設定情報を生成する。そこでまず、スケジュール情報および設定情報について以下に説明する。
【００２４】
学校に勤務する各教員は、自身が受け持つクラスの学校における予定に関する情報を、予め管理者端末５に入力する。当該予定に関する情報には、たとえば、クラスの年間計画表、クラスの授業時間割表、および授業準備段階におけるスケジュール情報の変更情報などが含まれる。管理者端末５は、入力された予定に関する情報をすべてサーバ４に送信する。
【００２５】
サーバ４では、各管理者端末５から送信された予定に関する様々な情報を、通信部４４を介してスケジュール管理部４１が受信する。スケジュール管理部４１は受信した情報に用いて、個々のスケジュールに対応したスケジュール情報を生成してスケジュールテーブル４２に格納する。スケジュールテーブル４２は、サーバ４内のメモリまたはＨＤＤ（Hard Disk Drive）などの記憶装置に形成されている。
【００２６】
図５の（ａ）に、スケジュールテーブル４２に格納されているスケジュール情報の一例を示す。この図には、学校において一日内に予定されている全スケジュールに対応する全＊ケジュール情報を示す。一行分の予定情報が一つの予定に対応している。図５の（ａ）に示すように、各スケジュール情報は、番号（Ｎｏ）、場所、責任者、登録人数、名簿、予定開始時刻、予定終了時刻、および予定の内容をそれぞれ含んでいる。
【００２７】
「番号」は、一日分の各スケジュール情報を識別するための、各スケジュール情報に固有の識別子である。「場所」は、予定された活動が行われる学校内の場所の名称である。「登録人数」は、当該活動に参加する予定の児童の人数である。「名簿」は、当該活動に参加する予定の各児童の詳細を表すリストである。各名簿は、対応するクラスに所属する各児童の氏名および各児童が携帯するビーコン２に固有の各ビーコンＩＤを含んでいる。「予定開始時刻」は当該活動が始まる時刻であり、「予定開始時刻」は当該活動が終わる時刻である。「内容」は、当該活動の具体的な内容であり、たとえば学校内で行われる授業の種類（国語、算数、音楽等）およびクラス単位で行われる活動の種類（朝礼、昼食等）を含む。
【００２８】
たとえば番号が「１」のスケジュール情報を参照すれば、８：３０〜８：５０の間、教室１−１において、Ａ先生が２５人の児童を相手に朝礼を実施することが、学校において予定されていることが分かる。本実施形態では、学校に勤務する各教員は、図５に示すスケジュール情報を共有している。そのため、どの時間帯に学校内のどの場所でどのような活動が予定されているのかを、どの教員も適宜把握することができる。
【００２９】
サーバ４において、予約検出指示部４３が、スケジュールテーブル４２に格納されている各スケジュール情報を用いることによって、予約検出のための設定情報を生成する。以下に、番号が「１」のスケジュール情報から設定情報が生成される手順を説明する。
【００３０】
予約検出指示部４３は、スケジュールテーブル４２に格納されている番号が「１」のスケジュール情報から、名簿情報、予定開始時刻、および予定終了時刻を抽出する。次に予約検出指示部４３は、名簿情報によって特定される名簿に含まれる各ビーコンＩＤを、すべて抽出する。この例では、２５名の児童に対応する２５個のビーコンＩＤが抽出される。
【００３１】
また、予約検出指示部４３は、抽出した予定開始時刻および予定終了時刻に基づき、ビーコンリーダ３が予約検出を始める時刻である検出開始時刻を決定する。本実施形態では、検出開始時刻は予定開始時刻に等しいので、予約検出指示部４３は、検出開始時刻として８：３０を決定する。
【００３２】
また、予約検出指示部４３は、予定開始時刻および予定終了時刻に基づき、ビーコンリーダ３が予約検出を終える時刻である検出終了時刻を決定する。本実施形態では、検出終了時刻は検出開始時刻の１０分後であるので、予約検出指示部４３は、検出終了時刻として８：４０を決定する。
【００３３】
なお、検出開始時刻は上述した例に限られず、予定開始時刻以降でありかつ予定終了時刻よりも前の時刻であれば、いつでもよい。また、検出終了時刻は上述した例に限られず、検出開始時刻よりも後でありかつ予定終了時刻以前であればいつでもよい。
【００３４】
予約検出指示部４３は、設定情報の生成に用いたスケジュール情報の番号と、名簿から抽出した２５個のビーコンＩＤと、決定した検出開始時刻および検出終了時刻とを含む設定情報を生成する。この段階で設定情報に含まれる各ビーコンＩＤは、ビーコンリーダ３における予約検出時に検出対象となっているビーコンＩＤである。そこで、これらのビーコンＩＤを以下では予約ビーコンＩＤとも称する。
【００３５】
次に予約検出指示部４３は、番号が「１」のスケジュール情報から場所の名称を抽出する。サーバ４には、学校内における各ビーコンリーダ３を識別するための識別子と、各ビーコンリーダ３の設置場所の名称とを対応付けた設定情報が予め登録されている。そこで予約検出指示部４３は、スケジュール情報から抽出した場所の名称に対応するビーコンリーダ３の識別子を、設定情報から抽出する。この例では、教室１−１に設定されているビーコンリーダ３の識別子が抽出される。
【００３６】
予約検出指示部４３は、設定情報から抽出した識別子によって特定されるビーコンリーダ３に、生成した設定情報を通信部４４を介して送信することによって、予約検出をビーコンリーダ３に指示する（Ｓ１）。この例では、番号「１」と、名簿ＣＬ−１−１に含まれる２５個のビーコンＩＤと、８：３０の検出開始時刻と、８：４０の検出終了時刻とを含む設定情報が、教室１−１に設置されているビーコンリーダ３に送信される。
【００３７】
以上のように、スケジュール情報を用いて設定情報が生成されることによって、所定の場所において予定される活動を対象にした予約検出を行うための適切な設定情報が正しく生成される。また、その活動が予定される所定の場所に実際に設置されているビーコンリーダ３に、設定情報が正しく送信される。これにより、スケジュール情報に規定された活動に対応した正しい予約検出を、適切なビーコンリーダ３に実行させることができる。
【００３８】
後述するように、ビーコンリーダ３は、サーバ４から受信した設定情報に基づき、ビーコン２の予約検出を実行する。ビーコンリーダ３は、設定情報に含まれる検出開始時刻から予約検出を開始し、また遅くとも検出終了時刻までには予約検出を終了し、検出結果をサーバ４に通知する。サーバ４では、ビーコンリーダ３から通知された検出結果を、予約検出指示部４３が通信部４４を介して受信する（Ｓ２）。
【００３９】
予約検出指示部４３は、受信した検出結果に基づき、予約検出時に未検出の予約ビーコンＩＤがあるか否かを判定する（Ｓ３）。後述するように、ビーコンリーダ３は、設定情報に含まれる各予約ビーコンＩＤのうち予約検出時に検出しなかった予約ビーコンＩＤがあれば、受信した設定情報に含まれる番号と、検出しなかった予約ビーコンＩＤとを含む検出結果をサーバ４に通知する。一方、設定情報に含まれる各予約ビーコンＩＤのすべてを予約検出時に検出した場合、検出したすべての予約ビーコンＩＤを送信することなく、設定情報に含まれる番号と、すべての予約ビーコンＩＤを検出したことを示す情報とを含む検出結果を、サーバ４に通知する。
【００４０】
そこで予約検出指示部４３は、ビーコンリーダ３から受信した検出結果に予約ビーコンＩＤが含まれていれば、未検出の予約ビーコンＩＤがあると判定する。一方、検出結果にビーコンＩＤが含まれていなければ、未検出の予約ビーコンＩＤはないと判定する。
【００４１】
Ｓ３がＮＯである場合、すなわち予約検出時にすべての予約ビーコンＩＤが検出された場合、検出結果通知部４５は、受信した検出結果に含まれる番号に一致する番号を有するスケジュール情報から、責任者情報を抽出する。そして、抽出した責任者情報によって特定される責任者に予約検出の検出結果を通知する。具体的には、対応するスケジュール情報に規定される活動に全児童が出席した旨を通知する（Ｓ４）。たとえば番号が「１」のスケジュール情報から生成された設定情報に基づき予約検出が行われた場合、８：３０〜８：５０に予定される朝礼に２５名の全児童が出席した旨がＡ先生に通知される。
【００４２】
一方、Ｓ３がＹＥＳの場合、すなわち予約検出時に検出されなかった予約ビーコンＩＤがある場合、検出結果通知部４５は、受信した検出結果に含まれる番号（この例では「１」）に一致する番号を有するスケジュール情報から、責任者情報および名簿情報を抽出する。次に、抽出した名簿情報によって特定される名簿から、検出結果に含まれる未検出の各予約ビーコンＩＤに対応する各児童の氏名を抽出する。そして検出結果通知部４５は、そして、抽出した責任者情報によって特定される責任者に予約検出の検出結果を通知する。具体的には、対応するスケジュール情報に規定される活動に対して検出開始時刻から検出終了時刻までの間に不在だった各児童の氏名を責任者に通知する（Ｓ５）。たとえば番号が「１」のスケジュール情報から生成された設定情報に基づき予約検出が行われた場合、８：３０〜８：５０の朝礼に不在である児童の氏名がＡ先生に通知される。
【００４３】
Ｓ４またはＳ５の後、検出結果通知部４５は、予約検出の検出結果をスケジュール管理部４１に通知する。スケジュール管理部４１は、予約検出時に検出された児童の人数を、対応するスケジュール情報に記録する（Ｓ６）。その際、スケジュール管理部４１は、検出結果に含まれる番号に一致する番号のスケジュール情報から、登録人数を抽出する。そして、検出結果にビーコンＩＤが含まれていない（すべての児童が検出された）場合、登録人数と同じ値を検出人数としてスケジュール情報に記録する。一方、検出結果にビーコンＩＤが含まれている（検出されなかった児童がいる）場合、登録人数から、検出結果に含まれているビーコンＩＤの数を引いた値を、検出人数としてスケジュール情報に記録する。
【００４４】
Ｓ６の後、予約検出指示部４３は、すべての予約検出が終了したか否かを判定する（Ｓ７）。ここで、予約検出指示部４３は、スケジュールテーブル４２に含まれるすべてのスケジュール情報から予約検出の設定情報を生成済みである場合、すべての予約検出が終了したと判定し、そうでなければ、まだ終了してない予約検出があると判定する。
【００４５】
Ｓ７がＹＥＳなら、図４に示す一連の処理は終了する。一方、Ｓ７がＮＯなら、図４に示す処理はＳ１に戻る。この場合、予約検出指示部４３は、未だ設定情報の生成に用いられていないいずれかのスケジュール情報から、新たな設定情報を生成し、対応するビーコンリーダ３に送信することによって、新たな予約検出をビーコンリーダ３に指示する。すなわちサーバ４は、学校において一日内に予定されている各活動に対応する各予約検出がすべて終了するまで、Ｓ１〜Ｓ７の処理を繰り返し実行する。
【００４６】
図５の（ｂ）に、児童の検出人数を含むスケジュール情報の一例を示す。この図の例では、学校において、１１：００よりも前に予定されている各活動に対応する予約検出が完了している。そのため、予定開始時刻が１１：００よりも前の各スケジュール情報に、児童の検出人数が記録されているが、予定開始時刻が１１：００よりも前の各スケジュール情報には児童の検出人数が記録されていない。
【００４７】
図５の（ｂ）に示す各スケジュール情報を参照すれば、教室１−１において１０：００に開始される算数の授業に１人の児童が不在である旨が検出されたことが分かる。この検出結果（すなわち不在の児童の氏名）は、教室１−１に設置されているビーコンリーダ３において予約検出が終了する時刻（たとえば１０：１０）の直後に、この授業を教室１−１において担当するＡ先生に通知される。これによりＡ先生は、自身が責任を持つ２５名の児童のうち１名が、１０：００開始の算数の授業時に教室１−１に不在である旨を、その授業中に確実に把握することができる。したがってＡ先生は、従来のように口頭で各児童の出欠を確認する必要がない。
【００４８】
また、Ａ先生は、１名の不在児童に対して必要な対応を取ることができる。まず、この児童から早退する旨の申し出が事前になされていれば、特に何もしない。そうでなければ、不在児童を見つけ出すべく学校内を捜索する。たとえば保健教員にこの児童が保健室にいるか否かを問い合わせる。また、学校内を捜索しても不在児童が見つからなければ、この児童の保護者にこの児童が行方不明になっていることを通知する。
【００４９】
以上のように、Ａ先生は、１０：００開始の算数の授業に予定通り出席していない１名の児童にのみ必要な対処を行えばよく、予定通りに授業に出席している２４名の児童に対しては特に気を配る必要がなくなる。この結果、Ａ先生の負担が減るので、Ａ先生が行う必要がある授業および校務の効率化を図ることができる。さらに、Ａ先生は、自身が責任を持つ２５名の児童に対してより細やかな指導を行うための時間を、増やすこともできる。
【００５０】
また、Ａ先生が責任を持つ２５名の児童以外の各児童に対しては学校内の他のいずれかの教員が責任を持つことが、各スケジュール情報に明確化されている。したがって、規定の時間帯に学校内の所定場所において予定されている活動に参加していない児童が検出された場合、その検出結果は、必ず、その児童に対してその時間帯に責任を持つ責任者に対して必ず通知される。これにより、不在の児童がそのまま放置される事態が生じることを防止できる。
【００５１】
また、図５の（ｂ）に示す、検出結果を含む各スケジュール情報は、学校内の全教員によって共有されている。そのため、予定されている活動に予定通り参加していない児童が検出された場合、その事実を、この児童に責任を持つ教員のみならず他の教員も把握することができる。この結果、不在児童の捜索時に、必要に応じて責任教員以外の他の教員の協力を得ることもできる。
【００５２】
さらには、ある授業における各児童の出欠の有無を、同じ各児童に対してその次の授業を担当する予定である別の教員に対して、図５の（ｂ）に示す各スケジュール情報を通じて容易に申し送りすることができる。例えば、Ｂ先生は、番号が「３」のスケジュール情報および「４」のスケジュール情報をそれぞれ確認することによって、自身が、名簿ＣＬ−１−１に登録されている各児童に対して１１：００〜１１：５０に音楽の授業を行う予定であり、かつ、その前の時間帯における名簿ＣＬ−１−１に登録されている各児童を対象にした算数の授業では１名の児童が欠席していることを、把握することができる。したがって、音楽の授業でもこの児童が同様に欠席するだろうと予測した上で、授業に臨むことができる。
【００５３】
（ビーコンリーダ３における処理の流れ）
児童見守りシステム１が児童見守り処理を実行する際の、ビーコンリーダ３における処理の流れについて、図６および図７を参照して以下に説明する。図６は、ビーコンリーダ３が実行する処理の流れを説明するフローチャートである。図７は、予約検出テーブル３５に格納されている予約検出の設定情報の一例を示す図である。
【００５４】
上述したように、サーバ４は、ビーコンリーダ３において予約検出を実行するための設定情報を、ビーコンリーダ３に送信する。以下では、番号が「１」のスケジュール情報から生成された設定情報がビーコンリーダ３に送信される場合を例に挙げて説明する。ビーコンリーダ３では、予約検出設定部３４が、サーバ４から送信された設定情報を通信部３３を介して受信する。予約検出設定部３４は、受信した設定情報を用いて、ビーコンリーダ３に予約検出を設定する（Ｓ１１）。具体的には、予約検出設定部３４は、受信した設定情報を予約検出テーブル３５に登録する。予約検出テーブル３５は、ビーコンリーダ３内のメモリまたはＨＤＤ（Hard Disk Drive）などの記憶装置に形成されている。
【００５５】
図７の（ａ）に、予約検出テーブル３５に登録された設定情報の一例を示す。この図に示すように、設定情報は、番号、複数の予約ビーコンＩＤ、検出開始時刻、および検出終了時刻を含んでいる。
【００５６】
Ｓ１１の後、予約検出制御部３６が、時計部から現在時刻を取得する。そして予約検出制御部３６は、取得した現在時刻が、設定情報に含まれる検出開始時刻に一致するか否かを判定する（Ｓ１２）。Ｓ１２がＮＯの場合、図６の処理はＳ１２に戻る。すなわちビーコンリーダ３は、現在時刻が検出開始時刻に一致するまで待機し続ける。言い換えると、ビーコンリーダ３は、検出開始時刻が到来するまではビーコンＩＤの予約検出を行わない。
【００５７】
一方、Ｓ１２がＹＥＳの場合、ビーコンリーダ３は予約検出を開始する（Ｓ１３）。このとき予約検出制御部３６が、予約検出を開始することをビーコン受信部３１およびビーコンＩＤ検出部３２に指示する。
【００５８】
予約検出の指示を受けると、ビーコン受信部３１は、ビーコン２からから発信信号を受信したか否かを定期的（たとえば１００ｍｓごと）に判定する（Ｓ１４）。Ｓ１４がＹＥＳの場合、すなわち、ビーコン２から発信信号を受信した場合、ビーコン受信部３１は、受信した発信信号に含まれるビーコンＩＤを抽出する（Ｓ１５）。
【００５９】
ビーコンＩＤ検出部３２は、発信信号から抽出されたビーコンＩＤが、設定情報に含まれる複数の予約ビーコンＩＤのいずれかに一致するか否かを判定する（Ｓ１６）。Ｓ１６がＹＥＳの場合、ビーコンＩＤ検出部３２は、抽出されたビーコンＩＤに一致する予約ビーコンＩＤを発信信号から検出する（Ｓ１７）。そして、検出した予約ビーコンＩＤを予約検出テーブル３５内の設定情報に検出ビーコンＩＤとして記録する（Ｓ１８）。図７の（ｂ）に、検出ビーコンＩＤを含む設定情報の一例を示す。なお、検出した予約ビーコンＩＤが設定情報に検出ビーコンＩＤとして記録済みである場合には、重複記録はしない。すなわち、予約検出時に繰り返し検出された同じ予約ビーコンＩＤが設定情報に記録されるのは一度のみである。
【００６０】
次に予約検出制御部３６が、設定情報に含まれるすべての予約ビーコンＩＤが検出済みであるか否かを判定する（Ｓ１９）。ビーコンＩＤ検出部３２は、設定情報に含まれる予約ビーコンＩＤの数と検出ビーコンＩＤの数とが一致する場合、すべての予約ビーコンＩＤが検出済みであると判定する。一方、設定情報に含まれる予約ビーコンＩＤの数が、設定情報に含まれる検出ビーコンＩＤの数よりも多い場合、未検出の予約ビーコンＩＤがあると判定する。
【００６１】
Ｓ１９がＹＥＳの場合、予約検出制御部３６は、設定情報に含まれる番号と、設定情報に含まれる複数の予約ビーコンＩＤのすべてが検出されたことを示す情報と含む検出結果を、通信部３３を通じてサーバ４に通知する。これにより予約検出制御部３６は、すべての予約ビーコンＩＤが検出された旨をサーバ４に通知する（Ｓ２０）。この後ビーコンリーダ３は予約検出を終了する（Ｓ２３）。このように、ビーコンリーダ３は、現在時刻が、設定情報に含まれる検出終了時刻に一致する前の時点ですべての予約ビーコンＩＤの検出を完了すると、現在時刻が検出終了時刻に一致するまで待機することなく、直ちに検出結果をサーバ４に通知する。
【００６２】
一方、Ｓ１９がＮＯの場合、予約検出制御部３６は、現在時刻が検出終了時刻に一致するか否かを判定する（Ｓ２１）。Ｓ２１がＮＯの場合、図６の処理はＳ１４に戻る。すなわち、未検出の予約ビーコンＩＤがある場合は、検出終了時刻が到来するまでＳ１４〜Ｓ２１の処理が繰り返される。
【００６３】
なお、Ｓ１４がＮＯの場合も、図６の処理はＳ２１に移行する。これは、発信信号を受信しない状態で現在時刻が検出終了時刻に一致した場合に、ビーコンリーダ３における予約検出を終了するための措置である。また、Ｓ１６がＮＯの場合も、図６の処理はＳ２１に移行する。これは、いずれかの予約ビーコンＩＤが検出されないまま現在時刻が検出終了時刻に一致した場合に、ビーコンリーダ３における予約検出を終了するための措置である。
【００６４】
一方、Ｓ２１がＹＥＳの場合、予約検出制御部３６は、複数の予約ビーコンＩＤのうち、検出ビーコンＩＤとして設定情報に含まれない少なくとも１つの予約ビーコンＩＤを、未検出の予約ビーコンＩＤであると特定する。そして予約検出制御部３６は、設定情報に含まれる番号と、未検出の予約ビーコンＩＤと含む検出結果を、通信部３３を通じてサーバ４に通知する。これにより予約検出制御部３６は、未検出の予約ビーコンＩＤをサーバ４に通知する（Ｓ２２）。この後ビーコンリーダ３は予約検出を終了する（Ｓ２３）。このように、ビーコンリーダ３は、いずれかの予約ビーコンＩＤが検出されないまま、現在時刻が検出終了時刻に一致した場合、予約検出を終了する。
【００６５】
以上のように、学校内の所定の場所に設置されているビーコンリーダ３は、検出開始時刻から検出終了時刻までの間にビーコン２から受信した発信信号に含まれるビーコンＩＤが、設定情報に含まれる予約ビーコンＩＤのうちいずれかの予約ビーコンＩＤに一致する場合、当該いずれかの予約ビーコンＩＤを発信信号から検出する。これにより、検出開始時刻から検出終了時刻までの間における、設定情報に含まれる各予約ビーコンＩＤの検出結果（各予約ビーコンＩＤの検出の有無）を得ることができる。
【００６６】
発信信号からあるビーコンＩＤを検出したことは、その発信信号を発信したビーコン２を携帯する児童を検出したことを意味する。ここで、設定情報に含まれる各予約ビーコンＩＤは、少なくとも検出開始時刻から検出終了時刻までの間に上記所定の場所にいることが予定されている各児童がそれぞれ携帯する各ビーコン２に固有の各ビーコンＩＤである。したがって、検出装置によって得られる検出結果は、各児童が検出開始時刻から検出終了時刻までの時間帯に予定通り上記所定の場所に予定通りいたか否かを表す検出結果に等しい。
【００６７】
したがって、本実施形態に係るビーコンリーダ３は、規定の時間帯に所定の場所にいることが予定されている各児童が、その場所に予定通りいたか否かを検出することができる。
【００６８】
また、ビーコンリーダ３は、予約検出時にすべての予約ビーコンＩＤを検出した場合、検出したビーコンＩＤそのものはサーバ４に送信しない。したがって、ビーコンリーダ３とサーバ４と間の通信量を削減することができる。また、検出されたビーコンＩＤがビーコンリーダ３から外部に送信されないので、検出された予約ビーコンＩＤが無関係の第三者に漏えいすることを防止できる。これにより、児童見守りシステム１におけるセキュリティを高めることができる。
【００６９】
また、ビーコンリーダ３は、予約検出時に複数の予約ビーコンＩＤのうち一部を検出し、残りの一部を検出しなかった場合、検出した予約ビーコンＩＤはサーバ４に通知せずに、検出しなかった予約ビーコンＩＤのみをサーバ４に通知する。予約検出時に検出されない予約ビーコンＩＤの数は、通常、検出されるビーコンＩＤの数よりも相当少ない。たとえば本実施形態のように、学校において利用される児童見守りシステム１では、ある教室において予定される授業には、児童の大半が出席すると共に、多くても数名程度の児童が欠席するに過ぎない。したがって、その授業を対象にした予約検出では、検出されない予約ビーコンＩＤの数は１〜数個程度である。このような少ない数の予約ビーコンＩＤがビーコンリーダ３からサーバ４に送信されるのみであるので、ビーコンリーダ３とサーバ４と間の通信量を削減することができる。また、検出されたビーコンＩＤがビーコンリーダ３から外部に送信されないので、検出された予約ビーコンＩＤが無関係の第三者に漏えいすることを防止できる。これにより、児童見守りシステム１におけるセキュリティを高めることができる。
【００７０】
なお、児童見守りシステム１における予約検出の実行およびその検出結果の責任者への通知によって得られる利点は、大人数（例えば１００人以上）の児童が同じ場所に一度に集まって行う予定がある活動（例えば全校集会）を対象にする場合に、特に大きくなる。すなわち、責任者が目視または点呼によって児童の出欠を確認する場合、出欠を確認すべき児童の数が多くなればなるほど責任者の手間が大きくなり、かつ確認結果の正確性が低下する恐れがあるが、一方、児童見守りシステム１では、予約検出の対象である児童（ビーコン２）の数がどれだけ多くなっても正確な検出結果が得られるので、責任者は、自ら手間を掛けることなく、かつ正確な検出結果を確実に知ることができる。
【００７１】
〔ソフトウェアによる実現例〕
図２に示すビーコンリーダ３の各機能ブロックは、集積回路（ＩＣチップ）等に形成された論理回路（ハードウェア）によって実現してもよいし、ＣＰＵ（Central Processing Unit）を用いてソフトウェアによって実現してもよい。
【００７２】
後者の場合、ビーコンリーダ３は、各機能を実現するソフトウェアであるプログラムの命令を実行するＣＰＵ、上記プログラム及び各種データがコンピュータ（又はＣＰＵ）で読み取り可能に記録されたＲＯＭ（Read Only Memory）又は記憶装置（これらを「記録媒体」と称する）、上記プログラムを展開するＲＡＭ（Random Access Memory）等を備えている。そして、コンピュータ（又はＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路等を用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００７３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成できる。
【００７４】
例えば、ビーコンリーダ３は、ＢｌｕｅＴｏｏｔｈ（登録商標）Ｌｏｗ  Ｅｎｅｒｇｙを介して各ビーコン２と通信することが好ましい。これにより、ビーコン２における消費電力をさらに削減することができる。
【００７５】
〔まとめ〕
本発明の態様１に係る検出装置は、
所定の場所に設置されている検出装置であって、
自機に固有の識別子を含む発信信号を発信する携帯端末機から発信された上記発信信号を受信する発信信号受信部と、
検出開始時刻と、検出終了時刻と、少なくとも上記検出開始時刻から上記検出終了時刻までの間に上記所定の場所にいることが予定されている複数の見守り対象者がそれぞれ携帯する各携帯端末機に固有の各識別子とが関連付けられた設定情報を受信する設定情報受信部と、
上記検出開始時刻から上記検出終了時刻までの間に受信された上記発信信号に含まれる上記識別子が、上記設定情報に含まれる各上記識別子のうちいずれかの識別子に一致する場合、上記発信信号から当該いずれかの識別子を検出する検出部と、
上記検出開始時刻から上記検出終了時刻までの間における、上記設定情報に含まれる上記各識別子の検出結果を管理装置に通知する通知部とを備えていることを特徴としている。
【００７６】
所定の場所に設置されている検出装置は、検出開始時刻から検出終了時刻までの間に携帯端末機から受信した発信信号に含まれる識別子が、設定情報に含まれる各識別子のうちいずれかの識別子に一致する場合、当該いずれかの識別子を発信信号から検出する。これにより、検出開始時刻から検出終了時刻までの間における、設定情報に含まれる各識別子の検出結果（各識別子の検出の有無）を得ることができる。
【００７７】
発信信号からある識別子を検出したことは、その発信信号を発信した携帯端末機を携帯する見守り対象者を検出したことを意味する。ここで、設定情報に含まれる各識別子は、少なくとも検出開始時刻から検出終了時刻までの間に上記所定の場所にいることが予定されている複数の見守り対象者がそれぞれ携帯する各携帯端末機に固有の各識別子である。したがって、検出装置によって得られる検出結果は、各見守り対象者が検出開始時刻から検出終了時刻までの時間帯に予定通り上記所定の場所に予定通りいたか否かを表す検出結果に等しい。
【００７８】
以上のように、検出装置は、規定の時間帯に所定の場所にいることが予定されている各見守り対象者が、その場所に予定通りいたか否かを検出することができる。
【００７９】
本発明の態様２に係る検出装置は、上記態様１において、上記検出装置の上記通知部は、上記検出開始時刻から上記検出終了時刻までの間に、上記設定情報に含まれる上記各識別子のうち一部が検出されかつ残りの一部が検出されなった場合、検出された当該一部を上記管理装置に通知せずかつ検出されなかった当該残りの一部を上記管理装置に通知することを特徴としている。
【００８０】
上記の構成によれば、検出装置と管理装置との間の通信量を低減することができる。また、検出された識別子が無関係の第三者に漏えいすることを防止することもできる。
【００８１】
本発明の態様３に係る検出装置は、上記態様１または２において、上記通知部は、上記設定情報に含まれる上記各識別子のすべてが上記検出開始時刻から上記検出終了時刻までの間に検出された場合、上記設定情報に含まれる上記各識別子がすべて検出されたことを上記管理装置に通知することを特徴としている。
【００８２】
上記の構成によれば、検出装置と管理装置との間の通信量を低減することができる。また、検出された識別子が無関係の第三者に漏えいすることを防止することもできる。
【００８３】
本発明の態様４に係る検出装置は、上記態様１〜３のいずれかにおいて、ＢｌｕｅＴｏｏｔｈ（登録商標）Ｌｏｗ  Ｅｎｅｒｇｙを介して上記携帯端末機と通信することを特徴としている。
【００８４】
本発明の態様５に係る見守りシステムは、
管理装置と、所定の場所に設置されている検出装置とを備えている見守りシステムにおいて、
上記管理装置は、
検出開始時刻と、検出終了時刻と、少なくとも上記検出開始時刻から上記検出終了時刻までの間に上記所定の場所にいることが予定されている複数の見守り対象者がそれぞれ携帯する各携帯端末機に固有の各識別子とを含む設定情報を、上記検出装置に送信する送信部と、
上記検出装置から通知された上記各識別子の検出結果を受信する検出結果受信部とを備えており、
上記検出装置は、
上記設定情報を受信する設定情報受信部と、
自機に固有の識別子を含む発信信号を発信する携帯端末機から発信された上記発信信号を受信する発信信号受信部と、
上記検出開始時刻から上記検出終了時刻までの間に受信された上記発信信号に含まれる上記識別子が、上記設定情報に含まれる各上記識別子のうちいずれかの識別子に一致する場合、上記発信信号から当該いずれかの識別子を検出する検出部と、
上記検出開始時刻から上記検出終了時刻までの間における、上記設定情報に含まれる上記各識別子の検出結果を、上記管理装置に通知する通知部とを備えていることを特徴としている。
【００８５】
上記の構成によれば、規定の時間帯に所定の場所にいることが予定されている各見守り対象者が、その場所に予定通りいたか否かを検出することができる。
【００８６】
本発明の態様６に係る見守りシステムは、上記態様５において、
上記管理装置は、予定開始時刻と、予定終了時刻と、上記予定開始時刻から上記予定終了時刻までの間に上記所定の場所にいることが予定されている複数の人がそれぞれ携帯する上記各携帯端末機に固有の上記各識別子とを少なくとも含む予定情報を用いることによって、上記設定情報を生成する生成部をさらに備えており、
上記管理装置の上記送信部は、上記生成部によって生成された上記設定情報を上記検出装置に送信することを特徴としている。
【００８７】
上記の構成によれば、所定の場所において予定される活動を対象にした携帯端末機の検出を行うための適切な設定情報が正しく生成される。
【００８８】
本発明の態様７に係る見守りシステムは、上記態様６において、
上記予定情報には、上記予定開始時刻から上記予定終了時刻までの間において各上記見守り対象者に対する責任を有する管理者を示す情報がさらに関連付けられており、
上記管理装置は、受信された上記検出結果を上記管理者に通知する通知部をさらに備えていることを特徴としている。
【００８９】
上記の構成によれば、各見守り対象者とその責任者との関係が予定情報に規定されているので、検出装置における各見守り対象者の検出結果が、必ずその責任者に対して通知される。これにより責任者は、自身が責任を持つ各見守り対象者の検出結果に応じた適切な対応を取ることができるので、不在の見守り対象者がそのまま放置される事態が生じることを防止できる。
【００９０】
本発明の態様８に係る検出方法は、上記の課題を解決するために、
所定の場所に設置されている検出装置が実行する検出方法であって、
自機に固有の識別子を含む発信信号を発信する携帯端末機から発信された上記発信信号を受信する発信信号受信工程と、
検出開始時刻と、検出終了時刻と、少なくとも上記検出開始時刻から上記検出終了時刻までの間に上記所定の場所にいることが予定されている複数の人がそれぞれ携帯する各携帯端末機に固有の各識別子とが関連付けられた設定情報を受信する設定情報受信工程と、
上記検出開始時刻から上記検出終了時刻までの間に受信された上記発信信号に含まれる上記識別子が、上記設定情報に含まれる各上記識別子のうちいずれかの識別子に一致する場合、上記発信信号から当該いずれかの識別子を検出する検出工程と、
上記検出開始時刻から上記検出終了時刻までの間における、上記設定情報に含まれる上記各識別子の検出結果を管理装置に通知する通知工程とを有することを特徴としている。
【００９１】
上記の構成によれば、規定の時間帯に所定の場所にいることが予定されている各見守り対象者が、その場所に予定通りいたか否かを検出することができる。
【００９２】
本発明の各態様に係る検出装置は、コンピュータによって実現してもよく、この場合には、コンピュータを上記検出装置が備える各部（ソフトウェア要素に限る）として動作させることにより上記検出装置をコンピュータにて実現させる検出装置のプログラム（態様９）、およびそれを記録したコンピュータ読み取り可能な記録媒体も、本発明の範疇に入る。
【産業上の利用可能性】
【００９３】
本発明は、学校内の各児童を見守るための児童見守りシステムとして幅広く利用できる。
【符号の説明】
【００９４】
１  児童見守りシステム（見守りシステム）
２  ビーコン（携帯端末機）
３  ビーコンリーダ（検出装置）
４  サーバ（管理装置）
５  管理者端末
３１  ビーコン受信部（発信信号受信部）
３２  ビーコンＩＤ検出部（検出部）
３３  通信部
３４  予約検出設定部（設定情報受信部）
３５  予約検出テーブル
３６  予約検出制御部（通知部）
４３  予約検出指示部（生成部、送信部、検出結果受信部）
４４  通信部
４５  検出結果通知部（通知部）
【図１】
2016110403.tif 000003
【図２】
2016110403.tif 000004
【図３】
2016110403.tif 000005
【図４】
2016110403.tif 000006
【図５】
2016110403.tif 000007
【図６】
2016110403.tif 000008
【図７】
2016110403.tif 000009